(57)【要約】【課題】画像の色ずれを抑制可能な表示装置を提供する。【解決手段】表示装置１は、高分子分散型液晶パネル４と、高分子分散型液晶パネル４の端面に照明光Ｌ０を入射させる光源装置５と、照明光Ｌ０が高分子分散型液晶パネル４の内部を伝播する際に生じる照明光Ｌ０の色の変化を相殺するように画像信号ＶＳを補正し、画像制御信号ＶＣＳを生成する画像信号制御部４０と、高分子分散型液晶パネル４の内部を伝播して高分子分散型液晶パネル４で散乱された照明光Ｌ０を画像制御信号ＶＣＳに基づいて変調する表示パネル２と、を有する。【選択図】図２
2017076006.tif 000002
【特許請求の範囲】
【請求項１】
高分子分散型液晶パネルと、
前記高分子分散型液晶パネルの端面に照明光を入射させる光源装置と、
前記照明光が前記高分子分散型液晶パネルの内部を伝播する際に生じる前記照明光の色の変化を相殺するように画像信号を補正し、画像制御信号を生成する画像信号制御部と、  前記高分子分散型液晶パネルの内部を伝播して前記高分子分散型液晶パネルで散乱された前記照明光を前記画像制御信号に基づいて変調する表示パネルと、
を有する表示装置。
【請求項２】
前記表示パネルは、複数の画素を有し、
前記複数の画素の各々は、互いに異なる色を表示する複数の副画素を有し、
同一の色を表示する複数の前記副画素に供給される前記画像信号の補正量は、前記副画素と前記端面との距離に応じて異なる
請求項１に記載の表示装置。
【請求項３】
前記画像信号と前記画像制御信号は、各副画素の階調値に関する階調情報を含み、
前記画像信号が有する階調情報に関わる階調値を第一の階調値とし、前記画像制御信号が有する階調情報に関わる階調値を第二の階調値とすると、同一の色の表示を行う複数の前記副画素に同一の第一の階調値が設定されたときの各副画素の第二の階調値は、各副画素と前記端面との距離に応じて異なる
請求項２に記載の表示装置。
【請求項４】
同一の前記画素に含まれる複数の前記副画素に同一の第一の階調値が設定されたときの各副画素の第二の階調値は、各副画素が表示する色の光が前記高分子分散型液晶パネルの内部を伝播する際の各光の光量の変化のしやすさに応じて異なる
請求項３に記載の表示装置。
【請求項５】
高分子分散型液晶パネルと、
前記高分子分散型液晶パネルの端面に照明光を入射させる光源装置と、
前記高分子分散型液晶パネルの内部を伝播して前記高分子分散型液晶パネルで散乱された前記照明光を変調するとともに、前記照明光が前記高分子分散型液晶パネルの内部を伝播する際に生じる前記照明光の色の変化を相殺するようにカラーフィルター層の色が調整された表示パネルと、
を有する表示装置。
【請求項６】
前記表示パネルは、複数の画素を有し、
前記複数の画素の各々は、互いに異なる色を表示する複数の副画素を有し、
前記表示パネルには、前記複数の副画素にそれぞれ対応した複数のカラーフィルターを有する前記カラーフィルター層が設けられ、
前記副画素に配置された前記カラーフィルター層の光透過率と前記副画素の表示面積との積を前記副画素における前記カラーフィルター層の光透過量とすると、同一の色を表示する複数の前記副画素の各々における前記カラーフィルター層の光透過量は、各副画素と前記端面との距離に応じて異なる
請求項５に記載の表示装置。
【請求項７】
同一の色を表示する複数の前記副画素のうち、前記端面に最も近い前記副画素における光透過量を基準透過量とし、他の前記副画素における光透過量と前記基準透過量との比を光透過量の調整比率とすると、同一の前記画素に含まれる複数の前記副画素の各々における光透過量の調整比率は、各副画素が表示する色の光が前記高分子分散型液晶パネルの内部を伝播する際の各光の光量の変化のしやすさに応じて異なる
請求項６に記載の表示装置。
【請求項８】
前記光源装置は、互いに異なる色の光を発光する複数の光源を有し、
前記複数の光源のうち、前記高分子分散型液晶パネルの内部を伝播する際に最も光量が変化しやすい色の光を発光する前記光源の発光量が最も大きい
請求項１ないし７のいずれか１項に記載の表示装置。
【請求項９】
前記高分子分散型液晶パネルは、前記照明光が散乱する散乱状態と前記照明光が散乱しない非散乱状態との切り替えが独立に制御される複数の副照明領域を有し、
各副照明領域と前記端面との距離は互いに異なり、
前記光源装置は、互いに異なる色の光を発光する複数の光源を有し、
前記複数の光源のうち、前記高分子分散型液晶パネルの内部を伝播する際に最も光量が変化しやすい色の光を発光する前記光源は、前記端面に最も近い前記副照明領域が散乱状態であるときよりも前記端面から最も遠い前記副照明領域が散乱状態であるときのほうが明るく発光し、
前記高分子分散型液晶パネルの内部を伝播する際に最も光量が変化しやすい色の光を発光する前記光源の発光量と他の前記光源の発光量との比が、散乱状態となる前記副照明領域の位置に応じて異なる
請求項１ないし７のいずれか１項に記載の表示装置。
【発明の詳細な説明】
【技術分野】
【０００１】
本発明は、表示装置に関する。
【背景技術】
【０００２】
高分子分散型液晶パネルをバックライトの導光板として用いた表示装置が知られている（特許文献１参照）。高分子分散型液晶パネルの端面には光源が配置される。光源から放射された照明光は、高分子分散型液晶パネルの内部を伝播して高分子分散型液晶パネルから放射される。高分子分散型液晶パネルは表示パネルと対向配置される。表示パネルは、高分子分散型液晶パネルから放射された照明光を変調して画像を表示する。
【先行技術文献】
【特許文献】
【０００３】
【特許文献１】特開２０１２−１５１０８１号公報
【発明の概要】
【発明が解決しようとする課題】
【０００４】
高分子分散型液晶パネルは、透明な電極を備えた二枚の基板と、二枚の基板の間に挟み込まれた液晶層と、を有する。照明光は、液晶層および電極を透過しつつ高分子分散型液晶パネルの内部を伝播する。照明光の一部は、液晶層および電極によって吸収または散乱される。吸収のされやすさや散乱のされやすさは、光の波長によって異なる。そのため、高分子分散型液晶パネルの内部を照明光が伝播する際に照明光の色が変化し、画像に色ずれが生じる可能性がある。
【０００５】
本発明の目的は、画像の色ずれを抑制可能な表示装置を提供することにある。
【課題を解決するための手段】
【０００６】
本発明の第一の態様に係る表示装置は、高分子分散型液晶パネルと、前記高分子分散型液晶パネルの端面に照明光を入射させる光源装置と、前記照明光が前記高分子分散型液晶パネルの内部を伝播する際に生じる前記照明光の色の変化を相殺するように画像信号を補正し、画像制御信号を生成する画像信号制御部と、前記高分子分散型液晶パネルの内部を伝播して前記高分子分散型液晶パネルで散乱された前記照明光を前記画像制御信号に基づいて変調する表示パネルと、を有する。
【０００７】
本発明の第二の態様に係る表示装置は、高分子分散型液晶パネルと、前記高分子分散型液晶パネルの端面に照明光を入射させる光源装置と、前記高分子分散型液晶パネルの内部を伝播して前記高分子分散型液晶パネルで散乱された前記照明光を変調するとともに、前記照明光が前記高分子分散型液晶パネルの内部を伝播する際に生じる前記照明光の色の変化を相殺するようにカラーフィルターの色が前記端面からの距離に応じて調整された表示パネルと、を有する。
【図面の簡単な説明】
【０００８】
【図１】図１は、第一の実施形態に係る表示装置の概略構成を示す斜視図である。
【図２】図２は、表示装置の電気的構成を示すブロック図である。
【図３】図３は、表示装置の概略構成を示す断面図である。
【図４】図４は、表示装置に設けられたバックライトの平面図である。
【図５】図５は、照明光の色度変化の一例を示すｘｙ色度図である。
【図６】図６は、照明光の波長成分ごとの相対光量の変化の一例を示す図である。
【図７】図７は、各副画素における第二の階調値の相対調整比率を示す図である。
【図８】図８は、第二の実施形態に係る表示装置の画素の平面図である。
【図９】図９は、第三の実施形態に係る表示装置のカラーフィルター層の断面図である。
【図１０】図１０は、第四の実施形態に係る表示装置の画素の平面図である。
【図１１】図１１は、各副画素における第二の階調値の調整量を示す図である。
【図１２】図１２は、第五の実施形態に係る表示装置のバックライトを示す図である。
【図１３】図１３は、第五の実施形態に係る表示装置のバックライトを示す図である。
【発明を実施するための形態】
【０００９】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１０】
［第一の実施形態］
図１は、第一の実施形態に係る表示装置１の概略構成を示す斜視図である。図２は、表示装置１の電気的構成を示すブロック図である。図３は、表示装置１の概略構成を示す断面図である。図４は、表示装置１に設けられたバックライト３の平面図である。以下、ＸＹＺ座標系を用いて、各構成要素の形状や配置を説明する。
【００１１】
図１および図２に示すように、表示装置１は、表示パネル２と、バックライト３と、画像信号制御部４０と、階調制御部４１と、ゲート線駆動部４２と、データ線駆動部４３と、バックライト制御部４４と、光源駆動部４５と、副照明領域切り替え部４６と、を有する。
【００１２】
図１に示すように、表示パネル２は、第一の基板１０と、第二の基板１１と、第一の偏光板１２と、第二の偏光板１３と、を有する。第二の基板１１は、第一の基板１０と対向配置されている。第一の基板１０と第二の基板１１とが対向する対向領域の周縁部には、矩形枠状のシール材１９が設けられている。第一の基板１０と第二の基板１１とシール材１９とによって囲まれた空間には、液晶層２５（図２参照）が封入されている。シール材１９の内側には、表示領域２Ａが設けられている。第一の基板１０の外面側には、第一の偏光板１２が設けられている。第二の基板１１の外面側には、第二の偏光板１３が設けられている。
【００１３】
図２に示すように、表示領域２Ａには、Ｘ方向に延びる複数のゲート線２１とＹ方向に延びる複数のデータ線２２とがＺ方向から見て格子状に設けられている。ゲート線２１とデータ線２２との各交差部には薄膜トランジスタ２３が設けられている。薄膜トランジスタ２３のゲートとソースは、ゲート線２１とデータ線２２にそれぞれ電気的に接続されている。薄膜トランジスタ２３のドレインは、画素電極２４と電気的に接続されている。
【００１４】
表示領域２Ａには、各画素電極２４に共通の共通電極２６が設けられている。共通電極２６には、図示略の電源部によってコモン電位Ｖｃｏｍが供給される。液晶層２５は、画素電極２４と共通電極２６との間に発生する電界によって配向を制御される。一つの画素電極２４と共通電極２６とによって液晶層２５の配向が制御される領域が一つの副画素ＰＸである。Ｘ方向及びＹ方向にマトリクス状に配置された複数の副画素ＰＸによって表示領域２Ａが形成されている。
【００１５】
図３に示すように、表示パネル２は、複数の画素Ｐを有する。複数の画素Ｐの各々は、互いに異なる色を表示する複数の副画素ＰＸを有する。表示パネル２には、複数の副画素ＰＸにそれぞれ対応した複数のカラーフィルター２８ｆを有するカラーフィルター層２８が設けられている。
【００１６】
本実施形態では、例えば、カラーフィルター層２８は、赤色カラーフィルター２８ｒ、緑色カラーフィルター２８ｇおよび青色カラーフィルター２８ｂを有し、一つの画素Ｐは、赤色副画素ＰＸｒ、緑色副画素ＰＸｇおよび青色副画素ＰＸｂを有するが、カラーフィルター層２８および画素Ｐの構成はこれに限られない。三つの副画素ＰＸで表示される色は、赤、緑および青に限られず、イエロー、シアンおよびマゼンタでもよい。また、一つの画素Ｐが有する副画素ＰＸの数は、三つに限られず、二つまたは四つ以上でもよい。
【００１７】
表示パネル２の背面側（画像が観察される側とは反対側）には、バックライト３が設けられている。バックライト３は、高分子分散型液晶パネル４と、光源装置５と、を有する。高分子分散型液晶パネル４は、表示パネル２と対向配置されている。光源装置５は、Ｘ方向に延びる高分子分散型液晶パネル４の第一の端面３ａと対向配置されている。光源装置５と対向する第一の端面３ａが光入射面である。光源装置５は、高分子分散型液晶パネル４の第一の端面３ａに照明光Ｌ０を入射させる。
【００１８】
図１に示すように、光源装置５は、例えば、複数の光源５０を有する。複数の光源５０は、第一の端面３ａに沿って並べて配置されている。複数の光源５は、例えば、白色の照明光Ｌ０を第一の端面３ａにそれぞれ入射させるＬＥＤ（Ｌｉｇｈｔ  Ｅｍｉｔｔｉｎｇ  Ｄｉｏｄｅ）である。光源５０は、ＬＥＤや有機ＥＬ（Ｅｌｅｃｔｒｏ  Ｌｕｍｉｎｅｓｃｅｎｃｅ）素子のような点状光源でもよく、冷陰極蛍光ランプ（Ｃｏｌｄ  Ｃａｔｈｏｄｅ  Ｆｌｕｏｒｅｓｃｅｎｔ  Ｌａｍｐ；ＣＣＦＬ）のような線状光源でもよい。
【００１９】
図３に示すように、高分子分散型液晶パネル４は、第三の基板３１と、第四の基板３２と、液晶層３５と、反射シート３６と、プリズムシート３７と、を有する。第三の基板３１と第四の基板３２とは対向配置されている。第三の基板３１と第四の基板３２とが対向する対向領域の周縁部には、矩形枠状のシール材３９（図１参照）が設けられている。第三の基板３１と第四の基板３２とシール材３９とによって囲まれた空間には、液晶層３５が封入されている。第三の基板３１の外面（液晶層３５とは反対側の面）には、空気層を介して反射シート３６が対向配置されている。第四の基板３２の外面（液晶層３５とは反対側の面）には、空気層を介してプリズムシート３７が対向配置されている。
【００２０】
図３および図４に示すように、第三の基板３１の内面（液晶層３５側の面）には、それぞれＸ方向に延びる複数の第一の電極３３が設けられている。複数の第一の電極３３は、Ｙ方向に並べて配置されている。第四の基板３２の内面（液晶層３５側の面）には、複数の第一の電極３３と対向する第二の電極３４が設けられている。第二の電極３４は、Ｚ方向から見て複数の第一の電極３３と重畳するように設けられている。第二の電極３４は、複数の第一の電極３３に共通の共通電極である。
【００２１】
液晶層３５は、例えば、網目状に形成された高分子のネットワークの隙間に液晶が分散されたリバースモードの液晶層である。液晶層３５の配向は、第一の電極３３と第二の電極３４との間に印加される電圧によって制御される。第一の電極３３と第二の電極３４との間に電圧ＶＨを印加しない状態では、高分子と液晶の屈折率は互いに一致し、高分子と液晶との界面で照明光Ｌ０の散乱は生じない。第一の電極３３と第二の電極３４との間に電圧ＶＨを印加した状態では、高分子と液晶の屈折率は互いに異なり、高分子と液晶との界面で照明光Ｌ０の散乱が生じる。
【００２２】
一つの第一の電極３３と第二の電極３４とにより液晶層３５の配向が制御される領域が一つの副照明領域Ｉである。高分子分散型液晶パネル４は、照明光Ｌ０が散乱する散乱状態と照明光Ｌ０が散乱しない非散乱状態との切り替えが独立に制御される複数の副照明領域Ｉを有する。散乱状態と非散乱状態との切り替えは、副照明領域切り替え部４６に設けられたスイッチング素子ＳＷによって制御される。複数の副照明領域Ｉによって照明領域４Ａが形成されている。照明領域４Ａは、表示領域２Ａと略同じかそれよりも大きく形成され、表示領域２Ａと対向配置されている。
【００２３】
複数の副照明領域Ｉは、照明光Ｌ０の伝播方向（Ｙ方向）に沿って並べて配置されている。各副照明領域Ｉと第一の端面３ａとの距離（照明光Ｌ０の伝播方向に沿った距離）は互いに異なる。照明光Ｌ０は、高分子分散型液晶パネル４の内部を全反射しながらＹ方向に伝播する。照明光Ｌ０は、散乱状態となった副照明領域Ｉで散乱される。第三の基板３１に向けて散乱した照明光Ｌ０は、第三の基板３１を透過したのち反射シート３６によって表示パネル２側に反射される。第四の基板３２に向けて散乱した照明光Ｌ０は、第四の基板３２を透過したのちプリズムシート３７によって指向性を制御される。
【００２４】
照明光Ｌ０は、表示パネル２と対向する高分子分散型液晶パネル４の主面（プリズムシート３７の外面）から放射される。表示パネル２と対向する高分子分散型液晶パネル４の主面が、バックライト３の光放射面３ｂである。表示パネル２は、高分子分散型液晶パネル４の内部を伝播して高分子分散型液晶パネル４で散乱された照明光Ｌ０を変調する。
【００２５】
表示パネル２およびバックライト３の駆動は、図２に示した画像信号制御部４０、階調制御部４１、ゲート線駆動部４２、データ線駆動部４３、バックライト制御部４４、光源駆動部４５および副照明領域切り替え部４６によって制御される。
【００２６】
画像信号制御部４０は、外部から入力された画像信号ＶＳに基づいて画像制御信号ＶＣＳとバックライト制御信号ＬＣＳとを生成する。画像信号ＶＳは、各副画素ＰＸの階調値に関する階調情報を含む。以下、画像信号ＶＳが有する階調情報に関わる階調値を第一の階調値という。第一の階調値は、例えば、０〜２５５までの値を示す。
【００２７】
バックライト制御信号ＬＣＳは、光源装置５から放射される照明光Ｌ０の光量を指示し、所定のタイミングで光源装置５から照明光Ｌ０を放射させる信号である。照明光Ｌ０の光量は、散乱状態の副照明領域Ｉに対応する表示パネル２の表示部分の画像の明るさ（例えば、表示部分に含まれる複数の副画素ＰＸの平均的な第一の階調値）に応じて設定される。例えば、暗い画像が表示される部分では、副照明領域Ｉから放射される照明光Ｌ０の光量は小さく設定される。明るい画像が表示される部分では、副照明領域Ｉから放射される照明光Ｌ０の光量は大きく設定される。これにより、表示パネル２の表示領域２Ａ全体に常に最大光量の照明光Ｌ０が照射される場合に比べて、消費電力が低減され、コントラストが向上する。
【００２８】
画像制御信号ＶＣＳは、表示パネル２の各副画素ＰＸにどのような階調値を与えるかを定める信号である。画像制御信号ＶＣＳは、各副画素ＰＸの階調値に関する階調情報を含む。以下、画像制御信号ＶＣＳが有する階調情報に関わる階調値を第二の階調値とする。第二の階調値は、例えば、０〜２５５までの値を示す。
【００２９】
画像信号制御部４０は、第一の階調値にガンマ補正および伸張処理などの補正処理を加えることによって、第一の階調値とは異なる第二の階調値を設定する。画像信号制御部４０は、照明光Ｌ０が高分子分散型液晶パネル４の内部を伝播する際に生じる照明光Ｌ０の色の変化を相殺するように画像信号ＶＳを補正し、画像制御信号ＶＣＳを生成する。画像信号制御部４０は、照明光Ｌ０が高分子分散型液晶パネル４の内部を伝播する際に生じる照明光Ｌ０の明るさや色の変化を考慮して、各副画素ＰＸと第一の端面３ａとの距離（照明光Ｌ０の伝播方向に沿った距離）に応じて第二の階調値の大きさを調整する。調整量は、副画素ＰＸが表示する色ごとに異なる。
【００３０】
同一の色を表示する複数の副画素ＰＸに供給される画像信号ＶＳの補正量（第一の階調値と第二の階調値との差）は、副画素ＰＸと第一の端面３ａとの距離に応じて異なる。例えば、同一の色の表示を行う複数の副画素ＰＸに同一の第一の階調値が設定されたときの各副画素ＰＸの第二の階調値は、各副画素ＰＸと第一の端面３ａとの距離に応じて異なる。これにより、照明光Ｌ０の伝播距離に応じた照明光Ｌ０の光量の変化が相殺され、画像の色ずれが抑制される。また、同一の画素に含まれる複数の副画素ＰＸに同一の第一の階調値が設定されたときの各副画素ＰＸの第二の階調値は、各副画素ＰＸが表示する色の光が高分子分散型液晶パネル４の内部を伝播する際の各光の光量の変化のしやすさに応じて異なる。これにより、照明光Ｌ０の色が伝播方向の位置によって変化しても、表示される画像に色ずれが生じにくい。
【００３１】
階調制御部４１は画像制御信号ＶＣＳに基づいて水平駆動信号ＨＤＳと垂直駆動信号ＶＤＳとを生成する。ゲート線駆動部４２は水平駆動信号ＨＤＳに基づいて１垂直走査期間内に表示パネル２の複数のゲート線２１を選択する。選択の順番は任意である。例えば、複数のゲート線２１は、Ｓ１，Ｓ２，Ｓ３，…，Ｓｍの順に順次選択される。データ線駆動部４３は垂直駆動信号ＶＤＳに基づいて１水平走査期間内に表示パネル２の複数のデータ線２２に各副画素ＰＸの第二の階調値に応じた階調信号を供給する。これにより、表示パネル２は、高分子分散型液晶パネル４の内部を伝播して高分子分散型液晶パネル４で散乱された照明光Ｌ０を画像制御信号ＶＣＳに基づいて変調し、１フレーム分の画像を表示する。
【００３２】
バックライト制御部４４はバックライト制御信号ＬＣＳに基づいて光源駆動信号ＬＤＳと副照明領域切り替え信号ＳＷＳとを生成する。光源駆動信号ＬＤＳは、各光源５０が放射すべき光の光量及び放射タイミングを示す信号である。副照明領域切り替え信号ＳＷＳは、各副照明領域Ｉを散乱状態とするタイミングを示す信号である。
【００３３】
副照明領域切り替え部４６は副照明領域切り替え信号ＳＷＳに基づいて１垂直走査期間内に高分子分散型液晶パネル４の中から一つまたは複数の副照明領域Ｉを同時または順次に選択し、選択された一つまたは複数の副照明領域Ｉを散乱状態とする。光源駆動部４５は光源駆動信号ＬＤＳに基づいて１水平走査期間内に各光源５０から指定された光量で光を放射させる。これにより、選択された一つまたは複数の副照明領域Ｉから、光源駆動部４５によって制御された光量の照明光Ｌ０が表示パネル２に向けて放射される。
【００３４】
例えば、画像の書き込みに合わせて垂直方向に照明光Ｌ０を走査するスキャン駆動を行う場合には、副照明領域切り替え部４６は副照明領域切り替え信号ＳＷＳに基づいて１垂直走査期間内に高分子分散型液晶パネル４の複数の副照明領域Ｉを順次選択し、上段側の副照明領域からＩ１，Ｉ２，Ｉ３，Ｉ４，…，Ｉｓの順に順次散乱状態とする。光源駆動部４５は光源駆動信号ＬＤＳに基づいて１水平走査期間内に各光源５０から指定された光量で光を放射させる。これにより、複数の副照明領域Ｉから、光源駆動部４５によって制御された光量の照明光Ｌ０が表示パネル２に向けて順次放射される。
【００３５】
光源装置５から放射された照明光Ｌ０は、高分子分散型液晶パネル４の内部をＹ方向に伝播し、散乱状態の副照明領域Ｉから放射される。副照明領域Ｉから放射された照明光Ｌ０は、表示パネル２で変調され、副照明領域Ｉに対応する大きさの画像として表示される。散乱状態の副照明領域Ｉの位置が順次変化することで、一画面分の画像が表示される。
【００３６】
全照明領域４Ａを一括で点灯するスタティック駆動を行う場合には、副照明領域切り替え部４６は、副照明領域切り替え信号ＳＷＳに基づいて１垂直走査期間内に高分子分散型液晶パネル４の全ての副照明領域Ｉを同時に選択して散乱状態とする。光源駆動部４５は光源駆動信号ＬＤＳに基づいて１水平走査期間内に各光源５０から指定された光量で光を放射させる。これにより、複数の副照明領域Ｉから、光源駆動部４５によって制御された光量の照明光Ｌ０が表示パネル２に向けて放射される。
【００３７】
光源装置５から放射された照明光Ｌ０は、高分子分散型液晶パネル４の内部をＹ方向に伝播し、全ての副照明領域Ｉから同時に放射される。各副照明領域Ｉから放射された照明光Ｌ０は、表示パネル２で変調され、副照明領域Ｉに対応する大きさの画像として表示される。これにより、一画面分の画像が表示される。
【００３８】
ここで、高分子分散型液晶パネル４の内部を伝播する照明光Ｌ０の一部は、図３に示した液晶層３５、第一の電極３３および第二の電極３４によって吸収または散乱される。吸収のされやすさや散乱のされやすさは、光の波長によって異なる。例えば、第一の電極３３および第二の電極３４がＩＴＯ（Ｉｎｄｉｕｍ  Ｔｉｎ  Ｏｘｉｄｅ；インジウム錫酸化物）などの酸化物導電膜で形成されている場合には、青の光が吸収されやすい。液晶層３５では、非散乱状態でも高分子と液晶との界面で若干の散乱を生じる場合があるが、その散乱の度合は波長によって異なる。そのため、第一の端面３ａから遠い位置では、例えば、照明光Ｌ０の色が黄色くなり、画像に色ずれが生じる場合がある。
【００３９】
図５は、高分子分散型液晶パネル４の内部を照明光Ｌ０が伝播する際の照明光Ｌ０の色度変化の一例を示すｘｙ色度図である。図５の実線は、照明光Ｌ０の伝播経路上の各位置における照明光Ｌ０の色度をプロットしたものである。実線の左端は、図４に示した第一の端面３ａにおける照明光Ｌ０の色度を示しており、実線の右端は、図４に示した第二の端面３ｃ（照明光Ｌ０の伝播方向に沿って第一の端面３ａと対向する端面）における照明光Ｌ０の色度を示している。
【００４０】
図５に示すように、白色の照明光Ｌ０を高分子分散型液晶パネル４に入射させると、照明光Ｌ０の色は、第一の端面３ａから第二の端面３ｃに向けて連続的に変化する。図５の例では、第一の端面３ａの近傍における照明光Ｌ０の色度は（０．２７２８、０．２５２８）であり、第二の端面３ｃの近傍における照明光Ｌ０の色度は（０．３４０４、０．３５６９）である。第二の端面３ｃの近傍では、照明光Ｌ０は黄色く色づいている。照明光Ｌ０は波長成分ごとに異なる割合で減衰しており、その減衰量は、照明光Ｌ０の伝播距離が長くなるほど大きくなる。
【００４１】
図６は、照明光Ｌ０の波長成分ごとの相対光量の変化の一例を示す図である。相対光量は、各波長成分の光の光量の和が一定値となるように各波長成分の光の光量を規格化したものである。図６の横軸は、入光部である第一の端面３ａからの距離（照明光Ｌ０の伝播方向に沿った距離）を示しており、図６の縦軸は、照明光Ｌ０に含まれる赤色光Ｌｒ、緑色光Ｌｇおよび青色光Ｌｂの相対光量を示している。図６では、便宜上、入光部である第一の端面３ａにおいて、赤色光Ｌｒ、緑色光Ｌｇおよび青色光Ｌｂの相対光量が等しくなるように図示している。
【００４２】
図６に示すように、赤色光Ｌｒ、緑色光Ｌｇおよび青色光Ｌｂの相対光量は、第一の端面３ａから第二の端面３ｃに向けて互いに異なる割合で変化する。変化量は、第一の端面３ａからの距離が大きくなるほど大きくなる。波長が短い光ほど変化量が大きいため、第二の端面３ｃの近傍では青色光Ｌｂが不足し、照明光Ｌ０は黄色くなる。
【００４３】
照明光Ｌ０の色は、照明光Ｌ０が高分子分散型液晶パネル４の内部を伝播する距離によって異なる。複数の副照明領域Ｉは、照明光Ｌ０の伝播方向に沿って並んでいるため、副照明領域Ｉから放射される照明光Ｌ０の色は、各副照明領域Ｉと第一の端面３ａとの距離（照明光Ｌ０の伝播方向に沿った距離）に応じて異なる。そのため、本実施形態では、照明光Ｌ０の色の変化を考慮して、第二の階調値の大きさが、副画素ＰＸと第一の端面３ａとの距離（照明光Ｌ０の伝播方向に沿った距離）に応じて調整される。
【００４４】
図７は、各副画素（赤色副画素ＰＸｒ、緑色副画素ＰＸｇ、青色副画素ＰＸｂ）における第二の階調値の調整比率の相対値（相対調整比率）を示す図である。図７の横軸は、入光部である第一の端面３ａからの各副画素の距離（照明光Ｌ０の伝播方向に沿った距離）を示しており、図７の縦軸は、各副画素における相対調整比率を示している。各副画素における第二の階調値の調整比率は、第一の端面３ａに最も近い位置の副画素の第二の階調値を基準値として、この基準値と各副画素の第二の階調値との比（第二の階調値／基準値）として算出される。第二の階調値を算出する基準となる第一の階調値は、全ての副画素において同一である。各副画素の相対調整比率は、各副画素の調整比率の和が一定値になるように各副画素の調整比率を規格化したものである。
【００４５】
図７に示すように、各副画素における相対調整比率および調整比率は、副画素と第一の端面３ａとの距離に応じて変化する。副画素と第一の端面３ａとの距離が大きいほど相対調整比率および調整比率は大きい。そのため、図６に示した照明光Ｌ０の光量の変化が相殺され、画像の色ずれが抑制される。また、相対調整比率および調整比率は、副画素が表示する色によって異なる。高分子分散型液晶パネル４の内部を伝播する際に光量が変化しやすい色を表示する副画素ほど相対調整比率および調整比率は大きい。例えば、図７の例では、青色副画素ＰＸｂにおける相対調整比率および調整比率が最も大きい。そのため、各色の光の光量が異なる割合で変化し、照明光Ｌ０の色が伝播方向の位置によって変化しても、表示される画像に色ずれが生じにくい。
【００４６】
例えば、図６および図７の例では、入光部（第一の端面３ａ）の色度は（０．２７２８，０．２５２８）であり、端部（第二の端面３ｃ）の色度は（０．３４０４，０．３５６９）である。入光部における赤色光Ｌｒ、緑色光Ｌｇおよび青色光Ｌｂの相対光量をＲ１、Ｇ１およびＢ１とし、端部における赤色光Ｌｒ、緑色光Ｌｇおよび青色光Ｌｂの相対光量をＲ２、Ｇ２およびＢ２すると、入光部と端部の各色光の相対光量は、次のようになる。
入光部  ：  Ｙ（Ｒ１:０．２０８，Ｇ１:０．６６５．Ｂ１:０．１２８）
端部    ：  Ｙ（Ｒ２:０．２４０，Ｇ２:０．７０６．Ｂ２:０．０５４）
【００４７】
この結果、入光部に比べ端部では、各色光に次のような光量の不足が生じる。そのため、色を均一にするには、それを補う必要がある。
（Ｒ１/Ｒ２，Ｇ１/Ｇ２，Ｂ１/Ｂ２）=（Ｒ:０．８６４，Ｇ:０．９４２，Ｂ:２．３７３）
【００４８】
入光部を基準として規格化すると、各色光の相対光量は次のように変化する。
（Ｒ２/Ｒ１, Ｇ２/Ｇ１, Ｂ２/Ｂ１）=（Ｒ: １．１５４, Ｇ: １．０６２, Ｂ: ０．４２２）
すなわち、入光部から端部に各色光が伝播する間に、赤色光Ｌｒの相対光量は１から１．１５４に変化し、緑色光Ｌｇの相対光量は１から１．０６２に変化し、青色光Ｌｂの相対光量は１から０．４２２に変化する。これを表したものが図６である。赤色光Ｌｒと緑色光Ｌｇの相対光量は、入光部よりも端部のほうが大きくなっているが、実際の光量は、赤色光Ｌｒ、緑色光Ｌｇおよび青色光Ｌｂのいずれにおいても、入光部よりも端部のほうが減少している。
【００４９】
端部では、色ずれを抑制するために、赤色副画素ＰＸｒの調整比率は０．８６４であり、緑色副画素ＰＸｇの調整比率は０．９４２であり、青色副画素ＰＸｂの調整比率は２．３７３である。これを表したものが図７である。図７のように各副画素の第二の階調値を調整することで、表示領域全体で色ずれが抑制される。
【００５０】
以上のように、本実施形態の表示装置１では、各副画素ＰＸにおける第二の階調値の相対調整比率および調整比率が、副画素ＰＸと第一の端面３ａとの距離および副画素ＰＸが表示する色に基づいて制御される。そのため、高分子分散型液晶パネル４の内部を照明光Ｌ０が伝播する際に照明光Ｌ０の色が変化しても画像に色ずれが生じにくい。よって、表示品質に優れた表示装置１が提供される。
【００５１】
［第二の実施形態］
図８は、第二の実施形態に係る表示装置の画素の平面図である。以下、図１ないし図４を参照しつつ、図８を用いて本実施形態の表示装置を説明する。本実施形態において第一の実施形態と共通する構成要素については、同じ符号を付し、詳細な説明は省略する。
【００５２】
本実施形態の表示装置の基本的な構成は、第一の実施形態の表示装置１と同じである。第一の実施形態と異なる点は、表示パネル２として、照明光Ｌ０が高分子分散型液晶パネル４の内部を伝播する際に生じる照明光Ｌ０の色の変化を相殺するようにカラーフィルター層２８の色が調整された表示パネルが用いられる点である。画像信号制御部４０では、照明光Ｌ０の色の変化を相殺するような画像信号ＶＳの補正は行われない。カラーフィルター層２８の色の調整は、各カラーフィルター２８ｆの明度、彩度または色相のうちの少なくともいずれか一つを第一の端面３ａからの距離に応じて調整することにより行われる。本実施形態では、例えば、画像の色ずれが、副画素ＰＸの表示面積を第一の端面３ａからの距離（照明光Ｌ０の伝播方向に沿った距離）に応じて異ならせることで抑制される。
【００５３】
副画素ＰＸに配置されたカラーフィルター層２８の光透過率と副画素ＰＸの表示面積との積を副画素ＰＸにおけるカラーフィルター層２８の光透過量とすると、同一の色を表示する複数の副画素ＰＸの各々におけるカラーフィルター層２８の光透過量は、各副画素ＰＸと第一の端面３ａ（図３参照）との距離に応じて異なる。副画素ＰＸの表示面積は、副画素ＰＸを縁取るように設けられたブラックマトリクスＢＭの開口面積である。光透過率は、ＪＩＳ規格に基づいて測定される可視光線透過率である。
【００５４】
図８の左側の図は、第一の端面３ａ（図３参照）に最も近い画素Ｐ１の平面図である。図８の右側の図は、第一の端面３ａから最も遠い画素Ｐ２の平面図である。画素Ｐ１の赤色副画素ＰＸｒ１の表示面積は画素Ｐ２の赤色副画素ＰＸｒ２の表示面積よりも大きい。画素Ｐ１の緑色副画素ＰＸｇ１の表示面積は画素Ｐ２の緑色副画素ＰＸｇ２の表示面積よりも大きい。画素Ｐ１の青色副画素ＰＸｂ１の表示面積は画素Ｐ２の青色副画素ＰＸｂ２の表示面積よりも小さい。表示面積が大きいと、光透過量は大きくなる。よって、画素Ｐ１の赤色副画素ＰＸｒ１、緑色副画素ＰＸｇ１および青色副画素ＰＸｂ１におけるカラーフィルター層２８の光透過量は、画素Ｐ２の赤色副画素ＰＸｒ２、緑色副画素ＰＸｇ２および青色副画素ＰＸｂ２におけるカラーフィルター層２８の光透過量よりもそれぞれ大きい。
【００５５】
本実施形態では、同一の色を表示する複数の副画素ＰＸの各々の表示面積は、各副画素ＰＸと第一の端面３ａとの距離（照明光Ｌ０の伝播方向に沿った距離）に応じて異なる。そのため、同一の色を表示する複数の副画素ＰＸの各々におけるカラーフィルター層２８の光透過量は、各副画素ＰＸと第一の端面３ａとの距離に応じて異なる。
【００５６】
同一の画素Ｐに含まれる複数の副画素ＰＸの各々の表示面積は、副画素ＰＸが表示する色ごとに異なる。同一の色を表示する複数の副画素ＰＸのうち、第一の端面３ａに最も近い副画素ＰＸにおける光透過量を基準透過量とし、他の副画素ＰＸにおける光透過量と基準透過率との比（光透過量／基準透過量）を光透過量の調整比率とすると、同一の画素Ｐに含まれる複数の副画素ＰＸの各々における光透過量の調整比率は、各副画素ＰＸが表示する色の光が高分子分散型液晶パネル４の内部を伝播する際の各光の光量の変化のしやすさに応じて異なる。
【００５７】
各副画素（赤色副画素ＰＸｒ、緑色副画素ＰＸｇ、青色副画素ＰＸｂ）における光透過量の調整比率の相対値を相対調整比率とすると、各副画素（赤色副画素ＰＸｒ、緑色副画素ＰＸｇ、青色副画素ＰＸｂ）における光透過量の相対調整比率は、図７に示したものと同様の変化を示す。各副画素における光透過量の相対調整比率および調整比率は、例えば、各副画素と第一の端面３ａとの距離が大きいほど大きい。そのため、図６に示した照明光Ｌ０の光量変化が相殺され、画像の色ずれが抑制される。
【００５８】
同一の画素Ｐに含まれる複数の副画素の各々における光透過量の相対調整比率および調整比率は、各副画素ＰＸが表示する色の光が高分子分散型液晶パネル４（図３参照）の内部を伝播する際の各光の光量の変化のしやすさに応じて異なる。光量が変化しやすい色を表示する副画素ほど光透過量の相対調整比率および調整比率は大きい。図６に示したように、高分子分散型液晶パネル４では、波長が短い光ほど光量が変化しやすいので、青色副画素ＰＸｂにおける相対調整比率および調整比率が最も大きい。そのため、各色の光の光量が異なる割合で変化し、照明光Ｌ０の色が伝播方向の位置によって変化しても、表示される画像に色ずれが生じにくい。
【００５９】
以上のように、本実施形態では、各副画素ＰＸにおけるカラーフィルター層２８の光透過量が、副画素ＰＸと第一の端面３ａとの距離に基づいて制御される。また、各副画素ＰＸにおける光透過量の相対調整比率および調整比率が、副画素ＰＸが表示する色に基づいて制御される。そのため、高分子分散型液晶パネル４の内部を照明光Ｌ０が伝播する際に照明光Ｌ０の色が変化しても画像に色ずれが生じにくい。よって、表示品質に優れた表示装置が提供される。
【００６０】
［第三の実施形態］
図９は、第三の実施形態に係る表示装置に設けられるカラーフィルター層２８の断面図である。図９の左側の図は、第一の端面３ａ（図３参照）に最も近い画素Ｐ１のカラーフィルター層２８の断面図であり、図９の右側の図は、第一の端面３ａから最も遠い画素Ｐ２のカラーフィルター層２８の断面図である。本実施形態において第一の実施形態および第二の実施形態と共通する構成要素については、同じ符号を付し、詳細な説明は省略する。
【００６１】
本実施形態の表示装置の基本的な構成は、第一の実施形態の表示装置１と同じである。第一の実施形態と異なる点は、画像の色ずれが、カラーフィルター層２８の光透過率を第一の端面３ａからの距離（照明光Ｌ０の伝播方向に沿った距離）に応じて異ならせることで抑制される点である。
【００６２】
本実施形態では、画素Ｐ２の赤色カラーフィルター２８ｒ２の厚みは画素Ｐ１の赤色カラーフィルター２８ｒ１の厚みよりも小さい。画素Ｐ２の緑色カラーフィルター２８ｇ２の厚みは画素Ｐ１の緑色カラーフィルター２８ｇ１の厚みよりも小さい。画素Ｐ２の青色カラーフィルター２８ｂ２の厚みは画素Ｐ１の青色カラーフィルター２８ｂ１の厚みよりも小さい。カラーフィルターの厚みが小さいと、吸収される光の量が少ないため、光透過率は高くなる。よって、画素Ｐ２の赤色副画素ＰＸｒ２、緑色副画素ＰＸｇ２および青色副画素ＰＸｂ２におけるカラーフィルター層２８の光透過率は、画素Ｐ１の赤色副画素ＰＸｒ１、緑色副画素ＰＸｇ１および青色副画素ＰＸｂ１におけるカラーフィルター層２８の光透過率よりもそれぞれ大きい。
【００６３】
表示領域２Ａ（図２参照）に設けられた各副画素ＰＸの表示面積は互いに等しい。そのため、画素Ｐ２の赤色副画素ＰＸｒ２、緑色副画素ＰＸｇ２および青色副画素ＰＸｂ２におけるカラーフィルター層２８の光透過量は、画素Ｐ１の赤色副画素ＰＸｒ１、緑色副画素ＰＸｇ１および青色副画素ＰＸｂ１におけるカラーフィルター層２８の光透過量よりもそれぞれ大きい。
【００６４】
同一の色を表示する複数の副画素ＰＸの各々に設けられるカラーフィルターの厚みは、各副画素ＰＸと第一の端面３ａとの距離（照明光Ｌ０の伝播方向に沿った距離）に応じて異なる。そのため、同一の色を表示する複数の副画素ＰＸの各々におけるカラーフィルター層２８の光透過量は、各副画素ＰＸと第一の端面３ａ（図３参照）との距離に応じて異なる。同一の画素Ｐに含まれる複数の副画素ＰＸにそれぞれ設けられたカラーフィルターの厚みは、副画素ＰＸが表示する色ごとに異なる。同一の画素Ｐに含まれる複数の副画素ＰＸの各々における光透過量の調整比率は、各副画素ＰＸが表示する色の光が高分子分散型液晶パネル４の内部を伝播する際の各光の光量の変化のしやすさに応じて異なる。
【００６５】
本実施形態でも、各副画素（赤色副画素ＰＸｒ、緑色副画素ＰＸｇ、青色副画素ＰＸｂ）における光透過量の相対調整比率は、図７に示したものと同様である。各副画素ＰＸにおける光透過量の相対調整比率および調整比率は、各副画素ＰＸと第一の端面３ａとの距離が大きいほど大きい。そのため、図６に示した照明光Ｌ０の光量変化が相殺され、画像の色ずれが抑制される。また、同一の画素Ｐに含まれる複数の副画素ＰＸの各々における光透過量の相対調整比率および調整比率は、各副画素ＰＸが表示する色の光が高分子分散型液晶パネル４（図３参照）の内部を伝播する際の各光の光量の変化のしやすさに応じて異なる。光量が変化しやすい色を表示する副画素ほど光透過量の相対調整比率および調整比率は大きい。そのため、各色の光の光量が異なる割合で変化し、照明光Ｌ０の色が伝播方向の位置によって変化しても、表示される画像に色ずれが生じにくい。よって、表示品質に優れた表示装置が提供される。
【００６６】
［第四の実施形態］
図１０は、第四の実施形態に係る表示装置の光源装置５を示す図である。本実施形態において第一の実施形態と共通する構成要素については、同じ符号を付し、詳細な説明は省略する。
【００６７】
本実施形態の表示装置の基本的な構成は、第一の実施形態の表示装置と同じである。第一の実施形態と異なる点は、光源装置５から放射される照明光Ｌ０の色が、高分子分散型液晶パネル４の内部での色変化を考慮して調整されている点である。
【００６８】
光源装置５は、互いに異なる色の光を発光する複数の光源５０を有する。複数の光源５０のうち、高分子分散型液晶パネル４（図３参照）の内部を伝播する際に最も光量が変化しやすい色の光を発光する光源の発光量が最も大きい。本実施形態では、例えば、光源装置５は、赤色の光Ｌ０ｒを発光する赤色光源５０ｒと、緑色の光Ｌ０ｇを発光する緑色光源５０ｇと、青色の光Ｌ０ｂを発光する青色光源５０ｂと、を有する。青色の光Ｌ０ｂの光量が最も変化しやすい場合には、青色の光Ｌ０ｂを発光する青色光源５０ｂの発光量が最も大きくなる。高分子分散型液晶パネル４での光量の変化のしやすさに応じて各々の光源５０の発光量が異なっていてもよい。
【００６９】
赤色光源５０ｒ、緑色光源５０ｇおよび青色光源５０ｂからそれぞれ放射される赤色光Ｌ０ｒ、緑色光Ｌ０ｇおよび青色光Ｌ０ｂによって照明光Ｌ０が形成される。照明光Ｌ０は、白色から若干ずれた色である。例えば、白色光を高分子分散型液晶パネル４の第一の端面３ａから第二の端面３ｃ（図４参照）に向けて伝播させたときに、白色光が第二の端面３ｃにおいてある色の光に変化している場合には、照明光Ｌ０がその色に対して補色の関係を有する色の光となるように、赤色光源５０ｒ、緑色光源５０ｇおよび青色光源５０ｂの各々の発光量が調整される。
【００７０】
図１１は、各副画素（赤色副画素ＰＸｒ、緑色副画素ＰＸｇ、青色副画素ＰＸｂ）における第二の階調値の調整量を示す図である。図１１の横軸は、入光部である第一の端面３ａからの各副画素の距離（照明光Ｌ０の伝播方向に沿った距離）を示しており、図１１の縦軸は、各副画素における調整量を示している。調整量は、第一の端面３ａに最も近い位置の副画素の第二の階調値を基準値として、この基準値と各副画素の第二の階調値との差として算出される。第二の階調値を算出する基準となる第一の階調値は、全ての副画素において同一である。
【００７１】
図１１に示すように、赤色副画素ＰＸｒ、緑色副画素ＰＸｇおよび青色副画素ＰＸｂの各々における調整量は、副画素と第一の端面３ａとの距離に応じて変化している。赤色副画素ＰＸｒと緑色副画素ＰＸｇでは、副画素と第一の端面３ａとの距離が大きいほど調整量は大きい。青色副画素ＰＸｂでは、副画素と第一の端面３ａとの距離が大きいほど調整量は小さい。そのため、図６に示した光の減衰に伴う照明光Ｌ０の光量変化が相殺され、画像の色ずれが抑制される。また、調整量は、副画素が表示する色によって異なる。そのため、各色の光の光量が異なる割合で変化し、照明光Ｌ０の色が伝播方向の位置によって変化しても、表示される画像に色ずれが生じにくい。
【００７２】
以上のように、本実施形態では、高分子分散型液晶パネル４の内部を伝播する際に最も光量が変化しやすい色の光を発光する光源５０の発光量が最も大きい。そのため、第一の端面３ａから遠い位置でも十分な光量の光を表示パネル２に向けて放射することができる。十分な光量の光が表示パネル２に供給されるため、表示パネル２で第二の階調値を調整したり、カラーフィルター層２８の光透過率を調整したりする必要がない。よって、表示品質に優れた表示装置が提供される。
【００７３】
［第五の実施形態］
図１２および図１３は、第五の実施形態に係る表示装置のバックライトを示す図である。本実施形態において第四の実施形態と共通する構成要素については、同じ符号を付し、詳細な説明は省略する。
【００７４】
本実施形態の表示装置の基本的な構成は、第四の実施形態の表示装置と同じである。第四の実施形態と異なる点は、高分子分散型液晶パネル４の内部を伝播する際に最も光量が変化しやすい色の光を発光する光源５０の発光量と他の光源５０の発光量との比が、散乱状態となる副照明領域Ｉの位置に応じて異なる点である。
【００７５】
複数の光源５０のうち、高分子分散型液晶パネル４の内部を伝播する際に最も光量が変化しやすい色の光を発光する光源５０（青色光源５０ｂ）は、第一の端面３ａに最も近い副照明領域Ｉ１が散乱状態であるとき（図１２）よりも第一の端面３ａから最も遠い副照明領域Ｉｓが散乱状態であるとき（図１３）のほうが明るく発光する。赤色光Ｌ０ｒと緑色光Ｌ０ｇの光量は青色光Ｌ０ｂほど変化しないため、赤色光源５０ｒと緑色光源５０ｂは、散乱状態となる副照明領域Ｉの位置に関係なく、常に同じ明るさで発光する。
【００７６】
本実施形態でも、第一の端面３ａから遠い位置において十分な光量の青色光Ｌ０ｂを表示パネル２に向けて放射することができる。第一の端面３ａに最も近い副照明領域Ｉ１が散乱状態であるときには、青色光Ｌ０ｂの発光量は小さいので、第一の端面３ａに近い位置と遠い位置とで青色副画素の表示面積を大きく異ならせる必要がない。
【００７７】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【００７８】
本発明は、以下の態様に係る表示装置に広く適用可能である。
【００７９】
（１）高分子分散型液晶パネルと、
前記高分子分散型液晶パネルの端面に照明光を入射させる光源装置と、
前記照明光が前記高分子分散型液晶パネルの内部を伝播する際に生じる前記照明光の色の変化を相殺するように画像信号を補正し、画像制御信号を生成する画像信号制御部と、
前記高分子分散型液晶パネルの内部を伝播して前記高分子分散型液晶パネルで散乱された前記照明光を前記画像制御信号に基づいて変調する表示パネルと、
を有する表示装置。
【００８０】
（２）前記表示パネルは、複数の画素を有し、
前記複数の画素の各々は、互いに異なる色を表示する複数の副画素を有し、
同一の色を表示する複数の前記副画素に供給される前記画像信号の補正量は、前記副画素と前記端面との距離に応じて異なる
（１）に記載の表示装置。
【００８１】
（３）前記画像信号と前記画像制御信号は、各副画素の階調値に関する階調情報を含み、
前記画像信号が有する階調情報に関わる階調値を第一の階調値とし、前記画像制御信号が有する階調情報に関わる階調値を第二の階調値とすると、同一の色の表示を行う複数の前記副画素に同一の第一の階調値が設定されたときの各副画素の第二の階調値は、各副画素と前記端面との距離に応じて異なる
（２）に記載の表示装置。
【００８２】
（４）同一の前記画素に含まれる複数の前記副画素に同一の第一の階調値が設定されたときの各副画素の第二の階調値は、各副画素が表示する色の光が前記高分子分散型液晶パネルの内部を伝播する際の各光の光量の変化のしやすさに応じて異なる
（３）に記載の表示装置。
【００８３】
（５）高分子分散型液晶パネルと、
前記高分子分散型液晶パネルの端面に照明光を入射させる光源装置と、
前記高分子分散型液晶パネルの内部を伝播して前記高分子分散型液晶パネルで散乱された前記照明光を変調するとともに、前記照明光が前記高分子分散型液晶パネルの内部を伝播する際に生じる前記照明光の色の変化を相殺するようにカラーフィルター層の色が調整された表示パネルと、
を有する表示装置。
【００８４】
（６）前記表示パネルは、複数の画素を有し、
前記複数の画素の各々は、互いに異なる色を表示する複数の副画素を有し、
前記表示パネルには、前記複数の副画素にそれぞれ対応した複数のカラーフィルターを有する前記カラーフィルター層が設けられ、
前記副画素に配置された前記カラーフィルター層の光透過率と前記副画素の表示面積との積を前記副画素における前記カラーフィルター層の光透過量とすると、同一の色を表示する複数の前記副画素の各々における前記カラーフィルター層の光透過量は、各副画素と前記端面との距離に応じて異なる
（５）に記載の表示装置。
【００８５】
（７）同一の色を表示する複数の前記副画素のうち、前記端面に最も近い前記副画素における光透過量を基準透過量とし、他の前記副画素における光透過量と前記基準透過量との比を光透過量の調整比率とすると、同一の前記画素に含まれる複数の前記副画素の各々における光透過量の調整比率は、各副画素が表示する色の光が前記高分子分散型液晶パネルの内部を伝播する際の各光の光量の変化のしやすさに応じて異なる
（６）に記載の表示装置。
【００８６】
（８）前記光源装置は、互いに異なる色の光を発光する複数の光源を有し、
前記複数の光源のうち、前記高分子分散型液晶パネルの内部を伝播する際に最も光量が変化しやすい色の光を発光する前記光源の発光量が最も大きい
（１）ないし（７）のいずれか１項に記載の表示装置。
【００８７】
（９）前記高分子分散型液晶パネルは、前記照明光が散乱する散乱状態と前記照明光が散乱しない非散乱状態との切り替えが独立に制御される複数の副照明領域を有し、
各副照明領域と前記端面との距離は互いに異なり、
前記光源装置は、互いに異なる色の光を発光する複数の光源を有し、
前記複数の光源のうち、前記高分子分散型液晶パネルの内部を伝播する際に最も光量が変化しやすい色の光を発光する前記光源は、前記端面に最も近い前記副照明領域が散乱状態であるときよりも前記端面から最も遠い前記副照明領域が散乱状態であるときのほうが明るく発光し、
前記高分子分散型液晶パネルの内部を伝播する際に最も光量が変化しやすい色の光を発光する前記光源の発光量と他の前記光源の発光量との比が、散乱状態となる前記副照明領域の位置に応じて異なる
（１）ないし（７）のいずれか１項に記載の表示装置。
【符号の説明】
【００８８】
１  表示装置
２  表示パネル
３ａ  第一の端面（端面）
４  高分子分散型液晶パネル
５  光源装置
２８  カラーフィルター層
２８ｆ，２８ｒ，２８ｒ１，２８ｒ２，２８ｇ，２８ｇ１，２８ｇ２，２８ｂ，２８ｂ１，２８ｂ２  カラーフィルター
４０  画像信号制御部
５０，５０ｒ，５０ｇ，５０ｂ  光源
Ｉ，Ｉ１，Ｉ２，Ｉ３，Ｉ４，Ｉ５，Ｉ６，Ｉ７，Ｉｓ  副照明領域
Ｌ０  照明光
Ｌｒ，Ｌｇ，Ｌｂ  副画素が表示する色の光
Ｐ，Ｐ１，Ｐ２  画素
ＰＸ，ＰＸｒ，ＰＸｒ１，ＰＸｒ２，ＰＸｇ，ＰＸｇ１，ＰＸｇ２，ＰＸｂ，ＰＸｂ１，ＰＸｂ２  副画素
ＶＣＳ  画像制御信号
ＶＳ  画像信号
【図１】
2017076006.tif 000003
【図２】
2017076006.tif 000004
【図３】
2017076006.tif 000005
【図４】
2017076006.tif 000006
【図５】
2017076006.tif 000007
【図６】
2017076006.tif 000008
【図７】
2017076006.tif 000009
【図８】
2017076006.tif 000010
【図９】
2017076006.tif 000011
【図１０】
2017076006.tif 000012
【図１１】
2017076006.tif 000013
【図１２】
2017076006.tif 000014
【図１３】
2017076006.tif 000015